(57)【要約】【課題】既設、あるいは新築のいずれの建造物にも簡単に取り付けることができる耐震装置を提供する。【解決手段】建造物Ｈの基礎１３から梁５までの高さを有する３本のＬ型鋼材６を、該各Ｌ型鋼材６を構成する垂直片８と折曲片９とを重合して連結金具１０を介して十字状に連結固定して、１つのコーナー部に、前記垂直片８と折曲片９が重合しないＬ型非重合コーナー部１１を設けて隅部用補強部材Ｒ１を形成すると共に、１本のＬ型鋼材２６により入り隅部用補強部材Ｒ２を形成し、前記各補強部材Ｒ１・Ｒ２の底部を基礎１３のアンカーボルト４に一体に連結固定する。そして、更に複数本の固定金具１９により、前記各補強部材Ｒ１・Ｒ２と隅部および入り隅部の柱材２０・３０とを一体に連結固定する。【選択図】図２
2005336742.tif 000002
【特許請求の範囲】
【請求項１】
３本のＬ型鋼材を、該各Ｌ型鋼材を構成する垂直片と折曲片とを重合して連結金具を介して十字状に連結固定して、１つのコーナー部に、前記垂直片と折曲片が重合しないＬ型非重合コーナー部を設けて隅部用補強部材を形成すると共に、１本のＬ型鋼材により入り隅部用補強部材を形成し、且つ、前記隅部用補強部材と入り隅部用補強部材の底部を、布基礎に近接した外側地盤に設けられた基礎に固定する一方、建造物の隅部の仕上げ材と前記Ｌ型非重合コーナー部間に介装板を配設して、複数本の固定金具により、隅部用補強部材と隅部の柱材とを一体に連結固定し、更に、前記入り隅部用補強部材を構成するＬ型鋼材と入り隅部の仕上げ材間に介装板を配設して、複数本の固定金具により、前記入り隅部用補強部材と入り隅部の柱材とを一体に連結固定することを特徴とする建造物の耐震装置。
【請求項２】
３本のＬ型鋼材を、該各Ｌ型鋼材を構成する垂直片と折曲片とを重合して連結金具を介して十字状に連結固定して、１つのコーナー部に、前記垂直片と折曲片が重合しないＬ型非重合コーナー部を設けて隅部用補強部材を形成すると共に、１本のＬ型鋼材により入り隅部用補強部材を形成し、且つ、前記隅部用補強部材の底部を、布基礎に近接した外側地盤に設けられた基礎に固定する一方、建造物の隅部の仕上げ材と前記Ｌ型非重合コーナー部間に介装板を配設して、複数本の固定金具により、隅部用補強部材と隅部の柱材とを一体に連結固定し、更に、前記入り隅部用補強部材を構成するＬ型鋼材と入り隅部の仕上げ材間に介装板を配設して、複数本の固定金具により、前記入り隅部用補強部材と入り隅部の柱材とを一体に連結固定することを特徴とする建造物の耐震装置。
【請求項３】
３本のＬ型鋼材を、該各Ｌ型鋼材を構成する垂直片と折曲片とを重合して連結金具を介して十字状に連結固定して、１つのコーナー部に、前記垂直片と折曲片が重合しないＬ型非重合コーナー部を設けて隅部用補強部材を形成すると共に、前記隅部用補強部材の底部を、布基礎に近接した外側地盤に設けられた基礎に固定する一方、建造物の隅部の仕上げ材と前記Ｌ型非重合コーナー部間に介装板を配設して、複数本の固定金具により、隅部用補強部材と隅部の柱材とを一体に連結固定することを特徴とする建造物の耐震装置。
【請求項４】
３本のＬ型鋼材を、該各Ｌ型鋼材を構成する垂直片と折曲片とを重合して連結金具を介して十字状に連結固定して、１つのコーナー部に、前記垂直片と折曲片が重合しないＬ型非重合コーナー部を設けて隅部用補強部材を形成すると共に、前記隅部用補強部材の底部を、布基礎に近接した外側地盤に設けられた基礎に固定する一方、建造物の隅部の仕上げ材と前記Ｌ型非重合コーナー部間に介装板を配設して、複数本の固定金具により、隅部用補強部材と隅部の柱材とを一体に連結固定し、更に、前記連結金具のうち、上下端部の連結金具として、先端にリング部を備えたリングボルトを使用し、前記リングボルトの各リング部に補強線条の両端を掛止固定して、該補強線条を交差して配設することを特徴とする建造物の耐震装置。
【請求項５】
３本のＬ型鋼材を、該各Ｌ型鋼材を構成する垂直片と折曲片とを重合して連結金具を介して十字状に連結固定して、１つのコーナー部に、前記垂直片と折曲片が重合しないＬ型非重合コーナー部を設けて隅部用補強部材を形成すると共に、前記隅部用補強部材の底部を、布基礎に近接した外側地盤に設けられた基礎に固定する一方、建造物の隅部の仕上げ材と前記Ｌ型非重合コーナー部間に介装板を配設して、複数本の固定金具により、隅部用補強部材と隅部の柱材とを一体に連結固定し、更に、前記連結金具のうち、上下端部の連結金具として、先端にリング部を備えたリングボルトを使用すると共に、建造物の外壁面の巾方向半分程度の位置の梁と布基礎に、掛止部材を備えた掛止プレートを連結固定し、前記リングボルトの各リング部と、前記各掛止プレートの掛止部材とに補強線条の両端を掛止固定して、該補強線条を交差して配設することを特徴とする建造物の耐震装置。
【発明の詳細な説明】
【技術分野】
【０００１】
本発明は、既設、あるいは新築の木造モルタル塗り建物、軽量鉄骨建物、あるいはプレハブ建物等の建造物に設置することができる建造物の耐震装置に関するものである。
【背景技術】
【０００２】
２階建て以上の建造物、または平屋建ての建造物のいずれの建造物にも取り付けることができる耐震装置としては、特開２００３−９７０８３号に開示されたものが公知である。
【特許文献１】特開２００３−９７０８３号公報
【発明の開示】
【発明が解決しようとする課題】
【０００３】
特許文献１に開示された耐震装置は、建造物の布基礎から外方に離れた位置の地盤面上に複数本所定間隔を有して立設され、上方部に建造物側へ屈曲した湾曲面を有する長尺型鋼材の先端部を、建造物の外周側面の胴差し、または敷きけたに固定して形成されている。
【０００４】
前記特許文献１に開示された耐震装置は、長尺型鋼材を建造物の布基礎から離れた位置の地盤面上に立設する必要があるため、長尺型鋼材を立設するための余裕地盤がなければならず、建造物が建て込んだ場所では施工することができないという課題があった。
【課題を解決するための手段】
【０００５】
本発明は、布基礎に近接した外側地盤に凹設された基礎凹部内に底部を固定して立設された補強部材を、木造モルタル塗り建物、軽量鉄骨建物、あるいはプレハブ建物等の建造物の隅部および入り隅部の両方に、または隅部に接して柱材に一体に連結固定することを最も主要な特徴とする。    
【発明の効果】
【０００６】
本発明の耐震装置は、従来のような余裕地盤がなくても、既設または新築の建造物の隅部および入り隅部の両方に接して、または隅部に接して、前記隅部用補強部材の底部を、布基礎に固定し、Ｌ型鋼材より成る補強部材を柱材に一体に連結固定することにより、地震による建造物の横方向の揺れ、および上下震動を前記補強部材により吸収して、建造物の揺れおよび震動を弱めて耐震効果を得ることができる。
【０００７】
また、補強部材は市販されているＬ型鋼材を使用することができるので、製造原価が安く、且つ構造も極めて簡単で、更に設置工事も容易であるので、設置コストが安い。
【発明を実施するための最良の形態】
【０００８】
布基礎に近接した外側地盤に設けられた基礎に底部を固定された補強部材を、建造物の隅部および入り隅部の両方に接して、または隅部に接して、補強部材を柱材に一体に連結固定する。
【実施例１】
【０００９】
本発明の実施例１を図面に基づいて詳細に説明する。本発明耐震装置の実施例１に示すものは、木造モルタル塗り建物、軽量鉄骨建物、あるいはプレハブ建物等の建造物の隅部および入り隅部に設置されるものであって、既設または新築の２階建て以上の建造物および平屋建ての建造物のいずれにも取り付けることができる。
【００１０】
本発明耐震装置の実施例１に示すものは、建造物Ｈの隅部Ｃに設置する場合と、入り隅部Ｄに設置する場合とで、それぞれその補強部材の形状を異にする。
【００１１】
先ず、建造物Ｈの隅部Ｃに設置する補強部材について説明する。図１・図２に示すように、建造物Ｈの隅部Ｃの布基礎に近接した外側地盤２に凹設された基礎用凹部３内において立設固定された複数本のアンカーボルト４部から、梁５までの高さを有する３本のＬ型鋼材６を十字状に連結固定すると共に、該３本のＬ型鋼材６の下端縁部に前記アンカーボルト４に連結固定するためのプレート７を連設固定して隅部用補強部材Ｒ１が形成される。なお、前記各Ｌ型鋼材６は、一般に市販されているＬ型鋼材を使用することができる。
【００１２】
前記隅部用補強部材Ｒ１を構成するＬ型鋼材６は、図１に示すように、垂直片８と直角に折曲された折曲片９とを連設して形成されており、該Ｌ型鋼材６より成る第１のＬ型鋼材６ａの折曲片９ａと第２のＬ型鋼材６ｂの折曲片９ｂ、および第２のＬ型鋼材６ｂの垂直片８ｂと第３のＬ型鋼材６ｃの折曲片９ｃをそれぞれ重合して、ボルトおよびナット等の複数本の連結金具１０により連結固定すると共に、１つのコーナー部に垂直片と折曲片が重合しない、前記第１のＬ型鋼材６ａの垂直片８ａと第３のＬ型鋼材６ｃの垂直片８ｃとより成るＬ型非重合コーナー部１１を設け、更に、該Ｌ型非重合コーナー部１１を除く、前記第１〜第３Ｌ型鋼材６ａ〜６ｃの各垂直片８ａ〜８ｃおよび折曲片９ａ〜９ｃの下端縁部に、前記基礎用凹部３のアンカーボルト４に連結固定するプレート７ａ〜７ｃを直角に接合固定して、横断面十字状の隅部用補強部材Ｒ１が形成される。
【００１３】
一方、前記隅部用補強部材Ｒ１のＬ型非重合コーナー部１１を構成する第１のＬ型鋼材６ａの垂直片８ａと、第３のＬ型鋼材６ｃの垂直片８ｃが、建造物Ｈの隅部Ｃに当接することができるよう、前記外側地盤２に凹設された基礎用凹部３内には割栗石１２上に複数本のアンカーボルト４が、図２に示すように、その位置を調整して立設固定されて基礎１３が形成されると共に、前記基礎１３を構成するアンカーボルト４を、前記プレート７ａ〜７ｃに貫通された貫通孔１４に貫挿して、固定ナット１５を螺着し、更に前記基礎用凹部３内にコンクリート１６を打設して固化させることにより、前記隅部用補強部材Ｒ１は隅部Ｃに接するようにして基礎１３上に立設固定される。
【００１４】
そして、図３に示すように、前記建造物Ｈの隅部Ｃに接するよう立設固定された隅部用補強部材Ｒ１のＬ型非重合コーナー部１１を構成する第１のＬ型鋼材６ａの垂直片８ａおよび第３のＬ型鋼材６ｃの垂直片８ｃと、建造物Ｈの仕上げ材１７間に、該各垂直片８ａ，８ｃと同一巾、同一長さに形成されたゴム板等の介装板１８を配設して、前記各垂直片８ａ，８ｃの外側面部より間隔を有して複数本の木ねじ等の固定金具１９を、前記垂直片８ａ，８ｃ、各介装板１８および仕上げ材１７をそれぞれ貫通して隅部Ｃの柱材２０に固着して一体に連結固定する。なお、前記隅部用補強部材Ｒ１は、建造物Ｈのすべての隅部Ｃに一体に連結固定する必要はないが、好ましくはすべての隅部Ｃに一体に連結固定することにより、優れた耐震性を保持することができる。また、前記介装板１８は、前記垂直片８ａ，８ｃが仕上げ材１７に直接接触することを阻止するクッション材としての役目を果たす。
【００１５】
次に、建造物Ｈの入り隅部Ｄに設置する補強部材について説明する。図４・図５に示すように、建造物Ｈの入り隅部Ｄの布基礎１に近接した外側地盤２に凹設された基礎用凹部３内において立設固定された複数本のアンカーボルト４部から、梁５までの高さを有するＬ型鋼材２６の下端縁部に、前記アンカーボルト４に連結するプレート２７を連設固定して入り隅部用補強部材Ｒ２が形成される。
【００１６】
前記入り隅部用補強部材Ｒ２を構成するＬ型鋼材２６は、前記隅部用補強部材Ｒ１を構成するＬ型鋼材６と同一構成であって、１本のＬ型鋼材２６を使用して、垂直片２８と直角に折曲された折曲片２９を有して形成され、更に、前記垂直片２８と折曲片２９の下端外周縁部に、外側地盤２に凹設された基礎用凹部３内において立設固定された複数本のアンカーボルト４に固定するプレート２７を直角に接合固定して形成されている。
【００１７】
一方、前記入り隅部用補強部材Ｒ２を構成するＬ型鋼材２６の垂直片２８および折曲片２９が、建造物Ｈの入り隅部Ｄに当接することができるよう、外側地盤２に凹設された基礎用凹部３内には、割栗石１２上に複数本のアンカーボルト４が、その位置を調整して立設固定されて基礎１３が形成されると共に、前記基礎１３を構成するアンカーボルト４を前記プレート２７に貫通された貫通孔１４に貫挿して、固定ナット１５を螺着し、更に前記基礎用凹部３内にコンクリート１６を打設して固化させることにより、前記入り隅部用補強部材Ｒ２は、入り隅部Ｄに接するようにして基礎１３上に立設固定される。
【００１８】
そして、図６に示すように、前記建造物Ｈの入り隅部Ｄに接するよう基礎１３上に立設固定された入り隅部用補強部材Ｒ２を構成するＬ型鋼材２６の垂直片２８および折曲片２９と、建造物Ｈの仕上げ材１７間に、該垂直片２８および折曲片２９と同一巾、同一長さに形成されたゴム板等の介装板１８を配設して、前記垂直片２８と折曲片２９との接合隅角部より、間隔を有して複数本の木ねじ等の固定金具１９を該垂直片２８と折曲片２９、介装板１８および仕上げ材１７をそれぞれ貫通して、入り隅部Ｄの柱材２９に螺着して一体に連結固定する。なお、図中、３１は、固定金具１９が前記接合隅角部から容易に固着できるようにした座金である。また、前記介装板１８は、前記垂直片２８と折曲片２９とが仕上げ材１７に直接接触することを阻止するクッション材としての役目を果たす。
【００１９】
前記隅部用補強部材Ｒ１および入り隅部用補強部材Ｒ２は、図７に示すように、建造物Ｈに設置されるが、図８に示すように、建造物Ｈにおいて入り隅部Ｄのない建造物には、当然ながら前記入り隅部用補強部材Ｒ２は設置できない。また、入り隅部Ｄがある建造物においても、入り隅部用補強部材Ｒ２の使用は任意である。更に、前記図５においては、入り隅部Ｄ部分の外側地盤２に凹設された基礎用凹部３内において立設固定された複数本のアンカーボルト４に、入り隅部用補強部材Ｒ２のプレート２７を一体に連結固定したが、柱材３０のみの補強で充分であれば、前記プレート２７を突設することなく、前記アンカーボルト４への連結固定を省略してもよい。
【００２０】
前記実施例１の作用について説明すると、建造物Ｈの隅部Ｃおよび入り隅部Ｄの両方に、あるいは隅部Ｃに、補強部材Ｒ１・Ｒ２、あるいは補強部材Ｒ１をそれぞれ一体に連結固定することにより、該補強部材Ｒ１・Ｒ２、あるいは補強部材Ｒ１が地震時における建造物Ｈの横方向への揺れおよび上下震動を吸収して地震の被害を防止することができるのである。
【００２１】
なお、前記実施例１においては、隅部用補強部材Ｒ１および入り隅部用補強部材Ｒ２の底部を、基礎１３に固定する手段として、該基礎１３に立設固定されたアンカーボルト４に固定するプレート７・２７を備えているが、前記プレート７・２７を設けることなく、前記隅部用補強部材Ｒ１および入り隅部用補強部材Ｒ２の底部を、図示していないが、溶接により、あるいは、ブラケットを設けてアンカーボルト４に固定することもできる。また、前記底部をコンクリート１６内に単に埋込んで固定することもできる等、基礎１３への隅部用補強部材Ｒ１および入り隅部用補強部材Ｒ２の底部の固定方法は、従来公知の種々の固定方法を採用することができる。
【００２２】
次に、本発明耐震装置の実施例２について説明する。実施例２は、前記実施例１の耐震装置に、更に、耐震性を強めた建造物の耐震装置である。従って、図面において実施例２において実施例１と共通する符号は、そのまま使用して説明する。
【００２３】
本発明耐震装置の実施例２においては、図９に示すように、隅部用補強部材Ｒ１を構成する第１のＬ型鋼材６ａの折曲片８ａと第２のＬ型鋼材６ｂの折曲片９ｂ、および第２のＬ型鋼材６ｂの垂直片９ｂと第３のＬ型鋼材６ｃの折曲片９ｃとを連結固定する複数本の連結金具１０のうち、最上段と最下段の連結金具１０に代えて、先端にリング部４１を備えたリングボルト４２により連結固定して隅部用補強部材Ｒ３を形成する。
【００２４】
そして、図１０に示すように、実施例２における隅部用補強部材Ｒ３を前記実施例１と同様に、建造物Ｈの両隅部Ｃに設置すると共に、前記各隅部用補強部材Ｒ３の各リングボルト４２のリング部４１に筋交い、ワイヤ等の２本の補強線条４３を交差して配設固定する。    
【００２５】
前記実施例２の作用について説明する。実施例２は、実施例１の構成に、更に筋交い、ワイヤ等の補強線条４３が設置されているので、実施例１の耐震装置以上の耐震性を有する。
【００２６】
また、図１１は、実施例２の他の実施の形態を示す正面図である。図１１に示すものは、窓Ｗ等の開口部がある壁面部に、補強線条４３を設置したものである。すなわち、図１１に示すように、実施例２における隅部用補強部材Ｒ３を前記実施例１と同様に、建造物Ｈの隅部Ｃに設置すると共に、建造物Ｈの外壁面の窓Ｗ等の開口部に近接した位置の梁５と布基礎１間に、補強線条４３の掛止部材４４を備えた掛止プレート４５を上・下端に固定した補強鋼板４６を固定し、前記隅部用補強部材Ｒ３のリングボルト４２の各リング部４１と、前記補強鋼板４６の各掛止部材４４とに筋交い、ワイヤ等の補強線条４３を交差して配設固定する。
【００２７】
前記実施例２の他の実施の形態の作用について説明する。実施例２の他の実施の形態の作用は、前記実施例２の作用の外に、建造物Ｈの外壁部に窓Ｗ等の開口部があっても、補強線条４３は邪魔とはならない。
【図面の簡単な説明】
【００２８】
【図１】本発明建造物の耐震装置の実施例１において、耐震装置を構成する隅部用補強部材の斜視図である。
【図２】本発明建造物の耐震装置の実施例１において、隅部用補強部材を基礎に固定して、建造物の隅部に取付けた状態を示す要部の正面図である。
【図３】本発明建造物の耐震装置の実施例１において、隅部用補強部材を建造物の隅部に取付けた状態を示す横断面図である。
【図４】本発明建造物の耐震装置の実施例１において、耐震装置を構成する入り隅部用補強部材の斜視図である。
【図５】本発明建造物の耐震装置の実施例１において、入り隅部用補強部材を基礎上に立設固定して、建造物の入り隅部に取付けた状態を示す要部の正面図である。
【図６】本発明建造物の耐震装置の実施例１において、入り隅部用補強部材を建造物の入り隅部に取付けた状態を示す横断面図である。
【図７】本発明建造物の耐震装置の実施例１において、隅部用補強部材と入り隅部用補強部材を建造物に取付けた状態を示す概略平面図である。
【図８】本発明建造物の耐震装置の実施例１において、隅部用補強部材を建造物に取付けた状態を示す概略平面図である。
【図９】本発明建造物の耐震装置の実施例２において、耐震装置を構成する隅部用補強部材を建造物の隅部に取付けた状態を示す横断面図である。
【図１０】本発明建造物の耐震装置の実施例２において、２本の隅部用補強部材間に補強線条を取付けた状態を示す正面図である。
【図１１】本発明建造物の耐震装置の実施例２の他の形態において、隅部用補強部材と掛止プレート間に補強線条を交差して取付けた状態を示す正面図である。
【符号の説明】
【００２９】
１  布基礎
２  外側地盤
３  基礎用凹部
４  アンカーボルト
５  梁
６  Ｌ型鋼材
７  プレート
８・８ａ〜８ｃ  垂直片
９・９ａ〜９ｃ  折曲片
１０  連結金具
１１  Ｌ型非重合コーナー部
１２  割栗石
１３  基礎
１４  貫通孔
１５  固定ナット
１６  コンクリート
１７  仕上げ材
１８  介装板
１９  固定金具
２０  柱材
２６  Ｌ型鋼材
２７  プレート
２８  垂直片
２９  折曲片
３０  柱材
３１  座金
４１  リング部
４２  リングボルト
４３  補強線条
４４  掛止部材
４５  掛止プレート
４６  補強鋼板
Ｒ１・Ｒ３  隅部用補強部材  
Ｒ２  入り隅部用補強部材
Ｃ  隅部
Ｄ  入り隅部
Ｈ  建造物
【図１】
2005336742.tif 000003
【図２】
2005336742.tif 000004
【図３】
2005336742.tif 000005
【図４】
2005336742.tif 000006
【図５】
2005336742.tif 000007
【図６】
2005336742.tif 000008
【図７】
2005336742.tif 000009
【図８】
2005336742.tif 000010
【図９】
2005336742.tif 000011
【図１０】
2005336742.tif 000012
【図１１】
2005336742.tif 000013